(57)【要約】【課題】メカ的な事情でずれが発生するケースも考慮したプレビュー画像をユーザーに提供し、ユーザーが正確な判断をできるようにすること。【解決手段】複合機は、画像の仕上がりイメージと、仕上がりイメージに影響を与える付加機能が使われたときのイメージとを合成して表示する手段と、画像の仕上がりイメージ上で、画像の位置を補正する手段と、その補正量を入力する手段と、その補正量に応じて表示位置をずらした画像の仕上がりイメージと、仕上がりイメージに影響を与える付加機能が使われたときのイメージとを合成して表示する手段とを有する。【選択図】図１
2009124676.tif 000002
【特許請求の範囲】
【請求項１】
画像の仕上がりイメージと、仕上がりイメージに影響を与える付加機能が使われたときのイメージとを合成して表示する手段と、
画像の仕上がりイメージ上で、画像の位置を補正する手段と、その補正量を入力する手段と、
その補正量に応じて表示位置をずらした画像の仕上がりイメージと、仕上がりイメージに影響を与える付加機能が使われたときのイメージとを合成して表示する手段と、を有することを特徴とする複合機。
【請求項２】
仕上がりイメージに影響を与える付加機能の実施位置を調整する手段をもつものにおいて、更に、仕上がりイメージを最小画素単位に分割して縦横任意の方向の並び順を逆転させたものを表示する手段を有することを特徴とする請求項１記載の複合機。
【請求項３】
表面の画像は通常どおりとして、裏面の画像は透過画像にして、両者を重ね合わせて表示する手段を有することを特徴とする請求項２記載の複合機。
【請求項４】
重ね合わせて表示するのか、別々に表示するのか、ユーザーが選択する手段と、
選択された結果に応じて、重ね合わせの表示と別々の表示のいずれかを表示する手段と、を有することを特徴とする請求項３記載の複合機。
【請求項５】
仕上がりイメージに影響を与える付加機能の実施位置を知る手段と、
重ね合わせた画像の画素の中で、印刷紙の４つの各辺にそれぞれ最も近い画素の位置を知る手段と、
これらの相対的な位置関係を計算する手段と、
その結果から、その付加機能の実施位置に対して重ね合わせた画像をずらす必要があるか判断する手段と、
ずらす必要があると判断したときに、その旨と、相対的な位置関係に基づいて算出した適切なずらし量とをユーザーに知らせる手段と、を有することを特徴とする請求項３記載の複合機。
【請求項６】
全ページに対して、ページごとに、ずらす必要があるか、という判断を行なう手段と、
ずらす必要があると判断したときに、そのページの適切なずらし量を算出して記憶しておく手段と、
全ページを通して、最も大きなずらし量となった値を検出する手段と、
その量をユーザーに知らせる手段とを有することを特徴とする請求項５記載の複合機。
【請求項７】
算出された必要なずらし量に応じて、自動的に設定を変更する手段を有することを特徴とする請求項６記載の複合機。
【請求項８】
画像の仕上がりイメージと、仕上がりイメージに影響を与える付加機能が使われたときのイメージとを合成して表示するステップと、
画像の仕上がりイメージ上で、画像の位置を補正する補正量を入力するステップと、
その補正量に応じて表示位置をずらした画像の仕上がりイメージと、仕上がりイメージに影響を与える付加機能が使われたときのイメージとを合成して表示するステップとを有することを特徴とする印刷画像確認方法。
【発明の詳細な説明】
【技術分野】
【０００１】
本発明は、実際に印刷したときの印刷位置のずれまで含めてプレビュー表示できる複合機および印刷方法に関する。
【背景技術】
【０００２】
複合機の中には、出力結果を予めプレビュー画像として画面上に表示できるものがある。
【０００３】
画像の仕上がりイメージと共に、パンチやステープルなどのオプションを使用したときのイメージも合成して表示するものが存在する（例えば、特許文献１参照）。
【特許文献１】特開２００７−０１３９２４号公報
【発明の開示】
【発明が解決しようとする課題】
【０００４】
ユーザは、パンチやステープルが画像にかぶらないか、という点に関心を持ち、プレビュー画像を確認する。しかし、両面印刷をする場合、裏面はメカ的な事情により、表面の印刷位置と比べて、若干ずれることがある。そのため、プレビュー画像でパンチやステープルが画像にかぶらないと判断した場合でも、実際に印刷してみるとかぶってしまう、ということが起こりうる。
【０００５】
本発明は、メカ的な事情でずれが発生するケースも考慮したプレビュー画像をユーザーに提供し、ユーザーが正確な判断をできるようにすることを目的とする。
【課題を解決するための手段】
【０００６】
請求項１記載の発明は、画像の仕上がりイメージと、仕上がりイメージに影響を与える付加機能が使われたときのイメージとを合成して表示する手段と、画像の仕上がりイメージ上で、画像の位置を補正する手段と、その補正量を入力する手段と、その補正量に応じて表示位置をずらした画像の仕上がりイメージと、仕上がりイメージに影響を与える付加機能が使われたときのイメージとを合成して表示する手段と、を有することを特徴とする複合機である。
【０００７】
請求項２記載の発明は、請求項１記載の複合機において、仕上がりイメージに影響を与える付加機能の実施位置を調整する手段をもつものにおいて、更に、仕上がりイメージを最小画素単位に分割して縦横任意の方向の並び順を逆転させたものを表示する手段を有することを特徴とする。
【０００８】
請求項３記載の発明は、請求項２記載の複合機において、表面の画像は通常どおりとして、裏面の画像は透過画像にして、両者を重ね合わせて表示する手段を有することを特徴とする。
【０００９】
請求項４記載の発明は、請求項３記載の複合機において、重ね合わせて表示するのか、別々に表示するのか、ユーザーが選択する手段と、選択された結果に応じて、重ね合わせの表示と別々の表示のいずれかを表示する手段と、を有することを特徴とする。
【００１０】
請求項５記載の発明は、請求項３記載の複合機において、仕上がりイメージに影響を与える付加機能の実施位置を知る手段と、重ね合わせた画像の画素の中で、印刷紙の４つの各辺にそれぞれ最も近い画素の位置を知る手段と、これらの相対的な位置関係を計算する手段と、その結果から、その付加機能の実施位置に対して重ね合わせた画像をずらす必要があるか判断する手段と、ずらす必要があると判断したときに、その旨と、相対的な位置関係に基づいて算出した適切なずらし量とをユーザーに知らせる手段と、を有することを特徴とする。
【００１１】
請求項６記載の発明は、請求項５記載の複合機において、全ページに対して、ページごとに、ずらす必要があるか、という判断を行なう手段と、ずらす必要があると判断したときに、そのページの適切なずらし量を算出して記憶しておく手段と、全ページを通して、最も大きなずらし量となった値を検出する手段と、その量をユーザーに知らせる手段とを有することを特徴とする。
【００１２】
請求項７記載の発明は、請求項６記載の複合機において、算出された必要なずらし量に応じて、自動的に設定を変更する手段を有することを特徴とする。
【００１３】
請求項８記載の発明は、画像の仕上がりイメージと、仕上がりイメージに影響を与える付加機能が使われたときのイメージとを合成して表示するステップと、画像の仕上がりイメージ上で、画像の位置を補正する補正量を入力するステップと、その補正量に応じて表示位置をずらした画像の仕上がりイメージと、仕上がりイメージに影響を与える付加機能が使われたときのイメージとを合成して表示するステップとを有することを特徴とする印刷画像確認方法である。
【発明の効果】
【００１４】
実際に印刷したときの印刷位置のずれまで含めてプレビュー表示できるようにしたことにより、ユーザーは正確な判断をできるようになる。
【発明を実施するための最良の形態】
【００１５】
本発明の実施形態にかかる複合機は、図１のハードウェアブロック図の様に、本装置全体を制御するＣＰＵ１、制御の為のプログラムやデータ等を記憶しているＲＯＭ２、制御に必要な種々のデータを記憶するＲＡＭ３、オペレータによる操作を入力すると共に情報をオペレータに伝えるオペポート４、原稿読み取りを行なうスキャナ５、コピーや原稿出力を行なうプロッタ６、通信回線の制御を行なう網制御部７、送信信号の変調や受信信号の復調を行なうモデム８、画情報を所定の符号化方式にしたがって符号化し、また、符号化された画情報を復合化する符号化・復号化部９、通信相手との間で、通信手順を実行する通信制御部１０、印刷された紙にパンチやステープルを打つフィニッシャ１１から構成されており、これら各部はバス１２により接続されている。
【００１６】
図２に本発明の実施形態にかかる複合機の機能ブロック図を示す。ユーザにガイダンスを表示し、入力された内容を処理する入力制御部２１は、オペポート４に対するＣＰＵ１の制御により実現されてもよい。パンチ位置と画像の位置の比較を行い適切な補正量の計算を行う補正量計算部２２は、ＣＰＵ１により実現されてもよい。各種のメカの制御を行うメカ制御部２３は、スキャナ５、プロッタ６およびフィニッシャ１１等に対するＣＰＵ１の制御により実現されてもよい。原稿の読取から印刷までの画像の処理を行い、また画像のずらしや反転や重ね合わせの処理を行う画像処理部２４は、ＲＯＭ２、ＲＡＭ３、スキャナ５、プロッタ６に対するＣＰＵ１の制御により実現されてもよい。通信関連の制御を行う通信関係制御部２５は、網制御部７、モデム８、符号化・復号化部９および通信制御部１０等に対するＣＰＵ１の制御により実現されてもよい。
【００１７】
（請求項１）画像のずれ補正が可能なプレビュー（パンチの合成も可能。裏面の正確な仕上がりイメージを得る）
【００１８】
パンチ機能を設定して、原稿を読み取ったときの仕上がりイメージについて、元の画像と、縦横に位置の補正を加えたときの画像との例を図３に示す。
【００１９】
ここで、図４を参照して元の画像に、縦横に位置の補正を加える処理のフローを説明する。まず、初期値としてＹに「０」を設定し（Ｓ４０１）、Ｘに「０」を設定する（Ｓ４０２）。次に、（Ｘ＋Ｘｃ）が「０」より大きく、「Ｘｅ」より小さいかを判定する（Ｓ４０３）。なお、「Ｘｅ」は紙の横幅であり既知の手法により取得される。上記のステップＳ４０３で「Ｘｅ」より大きい場合にははみだしていることを意味するので印刷は行わない。上記のステップＳ４０３で「Ｘｅ」より小さい場合には、（Ｙ＋Ｙｃ）が「０」より大きく、「Ｙｅ」より小さいかを同様に判定する（Ｓ４０４）。なお、「Ｙｅ」は紙の縦幅であり既知の手法により取得される。上記のステップＳ４０４で「Ｙｅ」より小さい場合には、本来（Ｘ，Ｙ）の位置データの画素を（Ｘ＋Ｘｃ，Ｙ＋Ｙｃ）の位置データへ置換して印刷するようにする（Ｓ４０５）。そして、Ｘを１インクリメントして（Ｓ４０６）、「Ｘｅ」まですべて終了したら（Ｓ４０７）、Ｙを１インクリメントして（Ｓ４０８）、「Ｙｅ」まですべて終了した時点（Ｓ４０９）で完了となる。
【００２０】
補正量は、たとえば、オペポート４上から、縦横それぞれについて、ユーザーが任意の値を入力する。入力する際の画面例を図５に示す。
【００２１】
以下、図６の仕上がりイメージの補正量を入力する際の画面遷移図を参照して図５の画面例の詳細を説明する。オペポート４には、液晶タッチパネル５１と、アプリケーション切替ボタン５２と、テンキー群５３と、クリアストップボタン５４と、スタートボタン５５と、モードリセットボタン５６と、初期設定ボタン５７と、音声動作切替ボタン５８とが備わっている。まず、初期設定ボタン５７を押下げし、テンキー群５３からの所定の番号ボタンの押下げにより入力画面６１が開かれる。次に右方向に「＋」を１回押下げすると画面６２に遷移する。次に下方向に「＋」を１回押下げすると画面６３に遷移する。そして所望の値となるように各ボタンを押下げした後、ＯＫボタンを押下げして確定する。
【００２２】
画像とパンチやステープルの打たれたイメージとを合成して表示する方法については、上記の特許文献１にて説明されている方法を使えばよい。
【００２３】
（請求項２）裏面透過画像を表示
【００２４】
両面印刷を行い、かつ、左辺に縦２つのパンチ穴をあける、という設定で画像を読み取り仕上がりイメージを表示する場合、裏面の画像と裏面透過画像の比較を図７に示す。
【００２５】
ここで、図８を参照して裏面透過画像の作成処理のフローを説明する。まず、初期値としてＹに「０」を設定し（Ｓ８０１）、Ｘに「０」を設定する（Ｓ８０２）。なお、裏返すだけなのではみだすことはない。「Ｘｅ」は紙の横幅であり、また「Ｙｅ」は紙の縦幅であり既知の手法により取得される。本来（Ｘ，Ｙ）の位置データの画素を（Ｘｅ−Ｘ，Ｙ＋Ｙｃ）の位置データへ置換して印刷するようにする（Ｓ８０３）。そして、Ｘを１インクリメントして（Ｓ８０４）、「Ｘｅ」まですべて終了したら（Ｓ８０５）、Ｙを１インクリメントして（Ｓ８０６）、「Ｙｅ」まですべて終了した時点（Ｓ８０７）で完了となる。
【００２６】
表面の画像と裏面の透過画像を隣り合わせて表示して、パンチ穴は同じ側に表示されるとする。パンチ穴を表から見て左側に寄せた場合の表示の変化を図９に示す。このように、同じように左側にパンチ穴がずれることになる。
【００２７】
以下、図１０、図１１の画面遷移図を参照して図９のパンチ穴を表から見て左側に寄せた場合の表示の変化の詳細を説明する。図１０のオペポート４は、図６と同様に構成されている。液晶タッチパネル５１の仕上がり画像確認ボタン５８を押下げすると、原稿が読み取られ、図１１の画面表示となる。図１１の画面では「←」、「→」ボタンを押下げすることによりパンチ穴の位置がずれた画像に変化する。ボタンの押下げ回数に応じてずれ量は増加する。スタートボタン５５の押下げで印刷されパンチ穴が開けられる。
【００２８】
（請求項３）表面画像と裏面透過画像を重ね合わせて表示
【００２９】
図９に記載したケースで、表面画像と裏面透過画像とを重ね合わせて表示した図を図１２に示す。
【００３０】
画像を重ね合わせる方法の例を下に示す。
表面画像と裏面透過画像を画素単位に分割し、この画素１つ１つを同座標（位置データ）同士比較し、下記の法則で合成後の画素を決定する。
表面画像の画素        裏面透過画像の画素            合成後の画素
あり                      なし        ⇒    表面画像の画素を採用
あり                      あり        ⇒    表面画像の画素を採用  （※１）
なし                      あり        ⇒    裏面画像の画素を採用
なし                      なし        ⇒    画素なし（空）
※１について。白黒画像ならば、ここは黒とすれば済むが、カラー画像のときには、表面画像の画素か裏面透過画像の画素のいずれかを採用する必要がある。ここでは表面画像の画素とした。
【００３１】
ここで、図１３を参照して画像を重ね合わせる処理のフローを説明する。まず、初期値としてＹに「０」を設定し、Ｘｍｉｎに最大値の「Ｘｅ」を設定する（Ｓ１７０１）。「Ｘｅ」は紙の横幅であり、また「Ｙｅ」は紙の縦幅であり既知の手法により取得される。次に、初期値としてＸに「０」を設定する（Ｓ１７０２）。そして（Ｘ，Ｙ）に画素があるか判定し（Ｓ１７０３）、ない場合にはＸを１インクリメントして（Ｓ１７０４）、「Ｘｅ」まですべて終了したか判定し（Ｓ１７０５）、すべて終了していない場合には（Ｘ，Ｙ）に画素があるか判定し（Ｓ１７０３）、ある場合にはＸがＸｍｉｎよりも小さいか判定し（Ｓ１７０６）、小さい場合にはＸｍｉｎに「Ｘ」を設定する（Ｓ１７０７）。そしてＹを１インクリメントして（Ｓ１７０８）、「Ｘｅ」まですべて終了したら（Ｓ１７０５）、Ｙを１インクリメントして（Ｓ１７０８）、「Ｙｅ」まですべて終了したか判定し（Ｓ１７０９）、すべて終了していない場合にはステップＳ１７０３に戻る。その結果「Ｙｅ」まですべて終了した時点（Ｓ１７０９）で、Ｘｍｉｎが最も左端の画素のＸ座標（位置データ）を示すこととなる。そしてパンチ穴の右端のＸ座標（位置データ）を示すＸｐとの差分の「ｄ」を算出し（Ｓ１７１０）、「ｄ」が「０」より大きいか判定し（Ｓ１７１１）、大きい場合には図１８に示すようなガイダンスを表示する（Ｓ１７１２）。
【００３２】
（請求項４）請求項３と通常の表示とを切り替え可能
【００３３】
オペポート４上からの操作によって、請求項３に記載の表示と通常の表示とを切り替えられるようにする。切り替わりのイメージを図１４に示す。
【００３４】
ユーザーが好みによって切り替えられるようにするには、たとえば、図１５に示すように液晶タッチパネル５１の画面上に、いずれの表示を行なうにしても、その脇に「重合せ」  ←切り替え→  「通常」のようなボタンを表示しておく。これが押下げされたら、表示を切り替える。
【００３５】
（請求項５）パンチ位置をずらすべき差分を自動的に計算して表示
【００３６】
例えば、図１６に示すように、そのままだと、パンチ穴よりも更に外側に画像が位置する場合がありうる。この例では、最も左の辺に近い画素はＡで示した点。ユーザーはこの設定のまま出力すると、パンチ穴を使ってファイリングしたとき、Ａ点のあたりを読み取れなくなる。
【００３７】
本実施の形態の複合機は、このＡ点の座標（位置データ）と、パンチ穴の座標（位置データ）を比較することにより、あとどのくらいパンチ穴をずらせばよいか、算出する。この例ではｄミリである。
【００３８】
ガイダンスの例を図１８に示す。この例では、パンチ穴を左側に縦に並べて打つケースを想定した。この場合には、左辺への距離について、Ａ点とパンチ位置の比較を行い、
パンチ位置よりもＡ点が左にあるか  ＹＥＳ  ⇒  パンチ位置を左にずらすようガイダンスを出す
ＮＯ    ⇒  ガイダンスを出さない
という判断になるが、パンチ位置を上辺や右辺や下辺に持ってくるケースも考えられ、その場合には、それぞれの辺に対する距離で判断する。
【００３９】
ここで、図１７を参照してあとどのくらいパンチ穴をずらせばよいか算出する処理のフローを説明する。まず、最初の画素の比較を行う（Ｓ１３０１）。表面画像の画素がありかなしかを判定し（Ｓ１３０２）、ありの場合には表面画像の画素を採用する（Ｓ１３０３）。画素の終端に到達したか判定し（Ｓ１３０４）、到達していない場合には次の画素の比較を行う（Ｓ１３０５）。次の画素の表面画像の画素がありかなしかを判定し（Ｓ１３０２）、なしの場合には裏面画像の画素がありかなしかを判定し（Ｓ１３０６）、ありの場合には裏面画像の画素を採用する（Ｓ１３０７）。画素の終端に到達したか判定し（Ｓ１３０４）、到達していない場合には次の画素の比較を行う（Ｓ１３０５）。次の画素の表面画像の画素がありかなしかを判定し（Ｓ１３０２）、なしの場合には裏面画像の画素がありかなしかを判定し（Ｓ１３０６）、なしの場合には画素なし（空）とする（Ｓ１３０８）。これを画素の終端まで繰り返す。
【００４０】
（請求項６）請求項５をマルチページの場合に拡張
【００４１】
マルチページの場合、各紙ごとに上述のＡ点に相当するものが存在し、ｄミリに相当するものが算出される。この各紙ごとのｄミリの値を比較し、最も大きな値を採用し、同じように、図１８のようなガイダンスを表示する。
【００４２】
（請求項７）請求項６において自動的にずらす
【００４３】
請求項６で算出された値に基づき、自動的にパンチ位置をずらす。ずらし終えた後、その旨をユーザーに知らせるため、図１９に示すようなガイダンスを表示してもよい。
【００４４】
自動的にパンチ位置をずらすトリガーは、プレビュー表示を行なうタイミングで完全に自動的に行なわれるようにしてもよいし、一旦、ずらす前の表示を行い、それから、ユーザーの意図的な操作によって、自動的にずらす処理が行なわれるようにしてもよい。ユーザーの意図的な操作というのは、例えばプレビュー表示の脇に「パンチ位置自動補正」というようなボタンがついていて、これを押下げする。
【００４５】
以下に各請求項ごとの目的、作用効果を記載する。
【００４６】
（請求項２）裏面透過画像を表示
ユーザーは、請求項１に記載した発明によるプレビュー画像で仕上がりイメージを確認し、パンチやステープルが画像にかぶってしまうことを知った場合には、パンチやステープルの位置を調整して、画像にかぶらないようにする。調整したあとに再度プレビュー画像を見て、最適な位置までパンチやステープルの位置をずらす。
【００４７】
しかし、パンチやステープルは、表面と裏面の両方に影響を及ぼすため、表面と裏面の両方を確認しながら調整する必要があるのだが、表面と裏面とでは、左右が逆になるため、操作して確認するユーザーにとっては分かり難い。（表面でパンチ位置を左にずらすと、裏面では、右にずれる）表面と裏面の両方の調整を容易にし、ユーザーが調整する手間を軽減する。
【００４８】
裏面の画像を、最小画素単位に分割して横方向の並び順を逆転させ、左右が逆転した画像を作る。これは、表面から裏面を透過してみた画像になる。こうすることにより、パンチやステープルの位置は表面のイメージと同じ位置となり、表面と裏面の両方の調整が容易になって、ユーザーが調整する手間が軽減される。（表面でパンチ位置を左にずらすと、裏面透過でも左にずれる）
【００４９】
（請求項３）表面画像と裏面透過画像を重ね合わせて表示
請求項２に記載の複合機においては、表面の画像と裏面の透過画像は、別々に表示される。パンチやステープルの位置をたとえば表面から見て左に５ミリずらす設定に変えて仕上がりイメージを確認すると、裏面の透過画像も同じようにパンチやステープルの位置は左に５ミリずれたものが表示される。
【００５０】
しかし、別々の画面で表示されるため、表面と裏面と、それぞれで調整を行なう必要がある。同時に表面画像と裏面透過画像とを並べて表示する仕様の複合機だとしても、あとどのくらいパンチやステープルの位置をずらせば両者にとって適切な位置となるかは、それぞれで確認する必要があり、その手間がかかる。並べて表示する仕様ではなく、ページめくりを行なう必要がある場合にはなおさら操作の手間がかかる。表面と裏面の両者にとって適切なパンチやステープルの位置調整操作を容易にする。
【００５１】
表面の画像と裏面の透過画像を重ねて表示したことにより、パンチやステープルの位置と、表面の画像の位置と、裏面の画像の位置とが、１つの画面上で把握できるようになるので、ユーザーは、表面と裏面の両者にとって適切なパンチやステープルの位置調整操作が容易になる。
【００５２】
（請求項４）請求項３と通常の表示とを切り替え可能
請求項３に記載の複合機においては、パンチやステープルの適切な位置を知る操作は容易になるのだが、画像が重ねあったものになっているため、従来のプレビューの目的である、画像の確認には不適切。両者の利点を生かせるようにして、ユーザーの利便性を向上させる。
【００５３】
ユーザーの意思で、重ね合わせの表示と別々の表示の好みの方に切り替えが可能になるので、両者の利点を生かせるようになり、ユーザーの利便性が向上する。
【００５４】
（請求項５）パンチ位置をずらすべき差分を自動的に計算して表示
請求項３に記載の複合機においては、ユーザーは、パンチやステープルの打つ位置が不適切と判断したときに、位置の調整を行なうが、どのくらいずらしたらよいのか、判断するには、画像と現物とを見比べて定規をあてて測るか、あるいは、試しに感覚的な数字を入力してみて、仕上がりイメージを確認し、必要に応じて再度数字を入力し直す、という操作を繰り返して調整を行なう。いずれにしても、手間がかかる。どの程度の調整が必要か、容易に分かるようにして、操作の手間を軽減する。
【００５５】
パンチやステープルの位置よりも、外側に画像が印刷されるような場合に、複合機が自動的に、ユーザーに対してどの程度パンチやステープルの位置調整をしたら良いのか、知らせることによって、ユーザーは、どの程度の調整が必要か、容易に分かるようになり、操作の手間が軽減される。
【００５６】
（請求項６）請求項５をマルチページの場合に拡張
請求項５に記載の複合機においては、表面と裏面、すなわち、２ページ分しか考慮していない。実際は、もっと多くのページ数を印刷することがありうる。パンチやステープルの位置は、紙ごとに別々、ということはありえず、１文書内では、全紙に対して同じ位置
である必要がある。ページ数が多い場合についても、請求項５と同等の効果、すなわち、どの程度の調整が必要か、容易に分かるようにして、操作の手間を軽減する。
【００５７】
印刷したものが複数枚に及ぶような場合にも、ページごとに算出される必要なずらし量の値の中で最も大きなものを選択して、ユーザーに知らせるようにしたことにより、ページ数が多い場合についても、どの程度の調整が必要か、容易に分かるようになって、操作の手間が軽減される。
【００５８】
（請求項７）請求項６において自動的にずらす
請求項６に記載の複合機においては、ずらす量を入力する手間がある。この手間を無くし、ユーザーの負担を減らす。
【００５９】
自動的に設定が変更されるので、ユーザーにとっては、操作を行なう手間が無くなり、負担が減る。
【００６０】
なお、上述する各実施の形態は、本発明の好適な実施の形態であり、本発明の要旨を逸脱しない範囲内において種々の変更実施が可能である。パンチ穴と同様にステープルも実現可能である。
【図面の簡単な説明】
【００６１】
【図１】本発明の複合機のハードウェアブロック図である。
【図２】本発明の複合機の機能ブロック図である。
【図３】本発明の元の画像と、縦横に補正を加えたときの画像との例を示す図である。
【図４】元の画像に、縦横に位置の補正を加える処理のフローチャートである。
【図５】入力する際の画面例を示す図である。
【図６】仕上がりイメージの補正量を入力する際の画面遷移図である。
【図７】裏面の画像と裏面透過画像の比較を示す図である。
【図８】裏面透過画像の作成処理のフローチャートである。
【図９】パンチ穴を表から見て左側に寄せた場合の表示の変化を示す図である。
【図１０】パンチ穴を表から見て左側に寄せた場合の表示画面の例を示す図である。
【図１１】パンチ穴を表から見て左側に寄せた場合の表示画面の例を示す図である。
【図１２】表面画像と裏面透過画像とを重ね合わせて表示した図である。
【図１３】画像を重ね合わせる処理のフローチャートである。
【図１４】切り替わりのイメージを示す図である。
【図１５】重合せと通常の表示の切り替え画面の例を示す図である。
【図１６】パンチ穴よりも更に外側に画像が位置する場合を示す図である。
【図１７】あとどのくらいパンチ穴をずらせばよいか算出する処理のフローチャートである。
【図１８】ガイダンスの例を示す図である。
【図１９】ガイダンスの例を示す図である。
【符号の説明】
【００６２】
１    ＣＰＵ
２    ＲＯＭ
３    ＲＡＭ
４    オペポート
５    スキャナ
６    プロッタ
７    網制御部
８    モデム
９    符号化・復号化部
１０    通信制御部
１１    フィニッシャ
１２    バス
【図１】
2009124676.tif 000003
【図２】
2009124676.tif 000004
【図３】
2009124676.tif 000005
【図４】
2009124676.tif 000006
【図５】
2009124676.tif 000007
【図６】
2009124676.tif 000008
【図７】
2009124676.tif 000009
【図８】
2009124676.tif 000010
【図９】
2009124676.tif 000011
【図１０】
2009124676.tif 000012
【図１１】
2009124676.tif 000013
【図１２】
2009124676.tif 000014
【図１３】
2009124676.tif 000015
【図１４】
2009124676.tif 000016
【図１５】
2009124676.tif 000017
【図１６】
2009124676.tif 000018
【図１７】
2009124676.tif 000019
【図１８】
2009124676.tif 000020
【図１９】
2009124676.tif 000021
【手続補正書】
【提出日】平成20年10月10日(2008.10.10)
【手続補正１】
【補正対象書類名】明細書
【補正対象項目名】００３１
【補正方法】変更
【補正の内容】
【００３１】
ここで、図１３を参照して画像を重ね合わせる処理のフローを説明する。まず、最初の画素の比較を行う（Ｓ１３０１）。表面画像の画素がありかなしかを判定し（Ｓ１３０２）、ありの場合には表面画像の画素を採用する（Ｓ１３０３）。画素の終端に到達したか判定し（Ｓ１３０４）、到達していない場合には次の画素の比較を行う（Ｓ１３０５）。次の画素の表面画像の画素がありかなしかを判定し（Ｓ１３０２）、なしの場合には裏面画像の画素がありかなしかを判定し（Ｓ１３０６）、ありの場合には裏面画像の画素を採用する（Ｓ１３０７）。画素の終端に到達したか判定し（Ｓ１３０４）、到達していない場合には次の画素の比較を行う（Ｓ１３０５）。次の画素の表面画像の画素がありかなしかを判定し（Ｓ１３０２）、なしの場合には裏面画像の画素がありかなしかを判定し（Ｓ１３０６）、なしの場合には画素なし（空）とする（Ｓ１３０８）。これを画素の終端まで繰り返す。
【手続補正２】
【補正対象書類名】明細書
【補正対象項目名】００３９
【補正方法】変更
【補正の内容】
【００３９】
ここで、図１７を参照してあとどのくらいパンチ穴をずらせばよいか算出する処理のフローを説明する。まず、初期値としてＹに「０」を設定し、Ｘｍｉｎに最大値の「Ｘｅ」を設定する（Ｓ１７０１）。「Ｘｅ」は紙の横幅であり、また「Ｙｅ」は紙の縦幅であり既知の手法により取得される。次に、初期値としてＸに「０」を設定する（Ｓ１７０２）。そして（Ｘ，Ｙ）に画素があるか判定し（Ｓ１７０３）、ない場合にはＸを１インクリメントして（Ｓ１７０４）、「Ｘｅ」まですべて終了したか判定し（Ｓ１７０５）、すべて終了していない場合には（Ｘ，Ｙ）に画素があるか判定し（Ｓ１７０３）、ある場合にはＸがＸｍｉｎよりも小さいか判定し（Ｓ１７０６）、小さい場合にはＸｍｉｎに「Ｘ」を設定する（Ｓ１７０７）。そしてＹを１インクリメントして（Ｓ１７０８）、「Ｘｅ」まですべて終了したら（Ｓ１７０５）、Ｙを１インクリメントして（Ｓ１７０８）、「Ｙｅ」まですべて終了したか判定し（Ｓ１７０９）、すべて終了していない場合にはステップＳ１７０３に戻る。その結果「Ｙｅ」まですべて終了した時点（Ｓ１７０９）で、Ｘｍｉｎが最も左端の画素のＸ座標（位置データ）を示すこととなる。そしてパンチ穴の右端のＸ座標（位置データ）を示すＸｐとの差分の「ｄ」を算出し（Ｓ１７１０）、「ｄ」が「０」より大きいか判定し（Ｓ１７１１）、大きい場合には図１８に示すようなガイダンスを表示する（Ｓ１７１２）。
【手続補正３】
【補正対象書類名】図面
【補正対象項目名】図１８
【補正方法】変更
【補正の内容】
【図１８】
2009124676.tif 000022
【手続補正４】
【補正対象書類名】図面
【補正対象項目名】図１９
【補正方法】変更
【補正の内容】
【図１９】
2009124676.tif 000023